(57)【要約】      （修正有）【課題】環状芯材により環状に形が保たれている傘挿入開口部と、前記傘挿入開口部から延びる筒状の折りたたみ可能の傘収容部とより成る傘カバーを提供する。【解決手段】環状芯材により環状に形が保たれている傘挿入開口部１と、開口部１から延びる筒状の傘収容部２と、傘収容部２に連続する水受け部３とにより、傘カバーを構成する。又、水受け部３は、傘収容部２に連続する水抜き可能の水仕舞筒状部３１と、水仕舞筒状部３１を途中で傘挿入開口部１の方へ向けて折り曲げて水受け３１０を形成した状態を維持するための水仕舞筒状部折り曲げ留め具３２とを含んでいる。留め具３２は、水仕舞筒状部３１に連続する舌片部と、水仕舞筒状部３１を傘挿入開口部１の方へ折り曲げて水受け３１０を形成した状態で舌片部を水仕舞筒状部３１に解離可能に連結する連結具３２２（ボタンＢ）とを含んでいる。吊下げ用部４を備えていてもよい。【選択図】図８
0003164606.tif 000002
【実用新案登録請求の範囲】
【請求項１】
環状芯材により環状に形が保たれている傘挿入開口部と、前記傘挿入開口部から延びる筒状の折りたたみ可能の傘収容部とを含んでいることを特徴とする傘カバー。
【請求項２】
前記傘収容部は前記傘挿入開口部側から該傘挿入開口部から遠ざかる方へ次第に細く形成されている請求項１記載の傘カバー。
【請求項３】
前記傘挿入開口部は前記環状芯材により内径８ｃｍ〜１６ｃｍの円形状に形が保たれている請求項１又は２記載の傘カバー。
【請求項４】
前記傘収容部に連続する水受け部をさらに含んでいる請求項１、２又は３記載の傘カバー。
【請求項５】
前記水受け部は、前記傘収容部に連続する折りたたみ可能の非通水性シートからなる水抜き可能の水仕舞筒状部と、前記水仕舞筒状部を途中で前記傘挿入開口部の方へ向けて折り曲げて水受けを形成した状態を維持するための水仕舞筒状部折り曲げ留め具とを含んでいる請求項４記載の傘カバー。
【請求項６】
前記水仕舞筒状部折り曲げ留め具は、前記水仕舞筒状部に連続する舌片部と、前記水仕舞筒状部を途中で前記傘挿入開口部の方へ向けて折り曲げて水受けを形成した状態で前記舌片部を前記水仕舞筒状部に解離可能に連結する連結具とを含んでいる請求項５記載の傘カバー。
【請求項７】
前記傘挿入開口部を上に、前記水受け部を下にして吊り下げることができる吊下げ用部を備えている請求項４から６のいずれか１項に記載の傘カバー。
【請求項８】
前記傘収容部を二つ折りして前記水受け部を傘カバー上端部へ解離可能に連結する連結具を備えている請求項４から７のいずれか１項に記載の傘カバー。
【考案の詳細な説明】
【技術分野】
【０００１】
本考案は傘カバー、特に濡れ傘を覆うのに便利な傘カバーに関する。
【背景技術】
【０００２】
各種店舗、家屋、医院等の建物における傘保管には、傘を上方から差し込む部分を備えた据え置き型の傘たてが用いられることが多い。大規模小売店（所謂スーパー）等においては、非通水性シートで形成された使い捨て傘袋が雨に濡れた傘の店内持ち運び等に提供されることが多い。
【０００３】
また、自動車等内における濡れ傘の保管については、例えば、意匠登録第１１１３３２８号公報に記載されているような、座席背もたれ部分等に連結して使用するものが知られている。意匠登録第１１１３３２８号公報に記載されている傘カバーは２本の傘をそれぞれ巻き細めて差し込む傘入れ鞘部を備えている。
【先行技術文献】
【特許文献】
【０００４】
【特許文献１】意匠登録第１１１３３２８号公報
【考案の概要】
【考案が解決しようとする課題】
【０００５】
しかしながら、例えば雨中を傘をさして歩行し、電車やバスの乗物に乗り込もうとするするとき、乗物内で周囲に雨水をできるだけ散らかさないように、また、周囲の人の衣服や持ち物をできるだけ濡らさないように、濡れ傘を簡単に素早く覆える傘カバーはみあたらない。
また、例えば雨中を傘をさして歩行し、自動車に乗り込もうとするとき、シート等をできるだけ雨水で濡らさないように、濡れ傘を簡単に素早く覆える傘カバーはみあたらない。
【０００６】
また、例えば雨中を傘をさして歩行し、店舗等内へ入るとき、周囲に雨水をできるだけ散らかさないように、また、周囲の人の衣服、持ち物、展示物品等をできるだけ濡らさないように、濡れ傘を簡単に素早く覆える傘カバーはみあたらない。
【０００７】
例えば前記の据え置き型傘たてを電車、バス、自動車等の乗物内に設けておけば、濡れ傘をそれに簡単に保持させることができ、それだけ周囲への水のまき散らし等を抑制することができる。しかしそのような据え置き型傘たてを乗物内に設けると、乗物内スペースが狭められるし、安全の観点から好ましくない。
【０００８】
大規模小売店（所謂スーパー）等において採用されているような使い捨て傘袋は、簡易で安価に済むが、例えば、雨中を傘をさして歩行して乗物に乗り込むときや、店舗等内へ入るときに、傘をたたみ、或いはさらに巻き細めて、素早くその傘袋に挿入することは実際には困難である。
【０００９】
何故なら、そのような傘袋は、薄い合成樹脂製シートを用いて作られたものであり、傘を差し込む袋口はくっついて開き難く、特に雨中から店舗等内へ入ったり、自動車に乗り込むようなときには、濡れた手指や傘で素早く袋口を開いて差し込むことは困難である。
【００１０】
意匠登録第１１１３３２８号公報に記載された傘カバーの場合、上記の簡易傘袋と比べるとずっと容易に濡れ傘を覆えると考えられるが、傘挿入口部だけでなく、全体的に保形性がよいため、使用しないときに簡単に小さく折りたたんでおくことが難しく、折りたたんだとしても、嵩張って邪魔になるので後部トランクに仕舞っておく場合が多く、そのため、いざ使用したいときに、使用できる状態にするのに手間どり、結局のところ簡易に使用できないことが多い。
【００１１】
そこで本考案は、使用しないときには折りたたんで邪魔にならない適当な場所、例えば、バッグ、カバン等のいれ物の中、自動車内の扉ポケット、自動車の座席背もたれのポケット、自動車座席の横、店舗等の建物の入口等に保管しておき、使用するときには簡単に取り出し、拡げて、濡れ傘でも簡単容易に素早く挿入収容することができる使い勝手のよい傘カバーを提供することを課題とする。
【課題を解決するための手段】
【００１２】
本考案は前記課題を解決するため、環状芯材により環状に形が保たれている傘挿入開口部と、前記傘挿入開口部から延びる筒状の折りたたみ可能の傘収容部とを含んでいる傘カバーを提供する。
【００１３】
本考案に係る傘カバーは、傘挿入開口部から延びる傘収容部が折りたたみ可能であるから全体を小さく折りたたんで邪魔にならない適当な場所、例えば、自動車内の扉ポケット、自動車の座席背もたれのポケット、自動車座席の横等の自動車内の場所は勿論のこと、バッグ等の中、店舗等の入口等の適当な場所に簡単にしまっておくことができる。
【００１４】
例えば本考案に係る傘カバーで雨に濡れた傘を覆うときには、仕舞っておいた場所から傘カバーを取り出し、拡げて傘挿入用開口部から濡れた傘を挿入収容でき、そのとき、傘挿入用開口部は環状芯材により環状に形が保たれて開いた状態であるから、手指が濡れていても、傘が濡れていても、また、傘を巻き細めなくても、簡単に素早くこの開いた傘挿入用開口部から筒状傘収容部へ傘を挿入収容できる。
【００１５】
このように、濡れ傘を簡単に素早く開いた傘挿入用開口部から筒状傘収容部へ挿入収容できるので、例えば雨中を傘をさして歩行し、電車やバス等の乗物に乗り込もうとするするとき、濡れ傘を本考案に係る傘カバーに収容することで覆って、乗物内で周囲に雨水をできるだけ散らかさないで、また、周囲の人の衣服や持ち物をできるだけ濡らさないですませることができる。
【００１６】
例えば雨中を傘をさして歩行し、自動車に乗り込もうとするときも、シート等をできるだけ雨水で濡らさないように、濡れ傘を本考案に係る傘カバーに簡単に収容して覆っておくことができる。
【００１７】
例えば雨中を傘をさして歩行し、店舗等の建物内へ入るときも、濡れ傘を本考案に係る傘カバーに収容して、周囲に雨水をできるだけ散らかさないように、また、周囲の人の衣服、持ち物、展示物品等をできるだけ濡らさないようにすることができる。
【００１８】
前記傘収容部は、全体的に同じ太さに形成されていてもよいが、傘挿入開口部側から、該傘挿入開口部から遠ざかる方向へ次第に細く形成して、挿入される傘を傘収容部内に安定させたり、或いはさらに傘収容部から抜け落ち難くしてもよい。
【００１９】
本考案に係る傘カバーは、前記筒状傘収容部に連続する水受け部をさらに含んでいてもよい。このように、筒状傘収容部に水受け部を連設しておくことで、傘からの水滴をこの水受け部で受けて、周囲の水汚染を抑制することができる。
【００２０】
水受け部は閉じたままで開くことができないものでもよく、開くことができない水受け部については、後ほど傘を取り出して、傘カバーを逆さにすることで水受け部に溜まった水を排出することができる。
【００２１】
しかし、水受け部に溜まった水をより簡単に排出できるように、例えば、水受け部を、傘収容部に連続する折りたたみ可能の非通水性シートからなる水抜き可能の水仕舞筒状部（水が周囲へ漏れ出ることを抑制するための筒状部）と、水仕舞筒状部を途中で前記傘挿入開口部の方へ向けて折り曲げて水受けを形成した状態を維持するための水仕舞筒状部折り曲げ留め具とを含んでいるものとし、水仕舞筒状部折り曲げ留め具による水受け形成状態を解いて水仕舞筒状部を開放して水を排出できるようにしてもよい。
【００２２】
水仕舞筒状部折り曲げ留め具としては、水仕舞筒状部に連続する舌片部と、水仕舞筒状部を途中で傘挿入開口部の方へ向けて折り曲げて水受けを形成した状態で舌片部を水仕舞筒状部に解離可能に連結する連結具とを含んでいるものを例示できる。
【００２３】
かかる連結具として、例えば、凹部を有する雌ボタン部と該凹部に対して嵌脱可能の凸部を有する雄ボタン部からなる留めボタンや、多数のループを形成した面状雌ファスナ部と該ループに対して係合脱離可能のフック部を多数形成した面状雄ファスナ部とからなる面状ファスナを利用できる。また、互いに結び連結できる紐からなるもの等でもよい。
【００２４】
前記傘挿入開口部は、環状に保たれていれば、その形は円形でも、四角形等でもよいが、多方面から傘を挿入し易いように円形とする場合を例示できる。また、傘挿入開口部が円形状である場合、折りたたんだ傘をさらに巻き細めなくてもそのまま該開口部から傘収容部へ簡単容易に挿入できるように、前記環状芯材により内径８ｃｍ〜１６ｃｍ程度の円形状に形が保たれているものを例示できる。
【００２５】
水受け部を連設した傘収容部は、全体的に同じ太さに形成されていてもよいが、いたずらに傘収容部材料を使用しなくて済むように、傘挿入開口部から水受け部へ向け次第に細く形成してもよい。
【００２６】
また、前記の水受け部を前記筒状傘収容部に連設した傘カバーでは、それに傘を挿入収容した状態で、傘挿入開口部を上に、水受け部を下にして適当な部位（例えば自動車の前部座席の背もたれ部に設けられた把手等）に吊り下げることができる吊下げ用部を備えていてもよい。
【００２７】
また、不使用時に簡単に折りたたんでおけるように、前記傘収容部を二つ折りして前記水受け部を傘カバー上端部へ解離可能に連結する連結具を備えていてもよい。この場合、該連結具としては、例えば、前記水受け部の舌片部を水仕舞筒状部に解離可能に連結する連結具と同様のものを採用できる。
【００２８】
このように、傘収容部を二つ折りして水受け部を傘カバー上端部に連結具で留めておく場合、前記吊下げ用部が備わっていると、その二つ折り状態で吊下げ用部にて適当な部位に直ちに使用できるように吊り下げておくことができる。
【考案の効果】
【００２９】
以上説明したように本考案によると、使用しないときには折りたたんで邪魔にならない適当な場所、例えば、バッグ、カバン等のいれ物の中、自動車内の扉ポケット、自動車の座席背もたれのポケット、自動車座席の横、店舗等の建物の入口等に保管しておき、使用するときには簡単に取り出し、拡げて、濡れ傘でも簡単容易に素早く挿入収容することができる使い勝手のよい傘カバーを提供することができる。
【図面の簡単な説明】
【００３０】
【図１】本考案に係る傘カバーの１例の正面図である。
【図２】図１の傘カバーの背面図である。
【図３】図１の傘カバーの平面図である。
【図４】図１の傘カバーの底面図である。
【図５】図１の傘カバーの右側面図である。
【図６】図１の傘カバーの左側面図である。
【図７】図１の傘カバーの吊下げ用部を解き、水仕舞筒状部折り曲げ留め具の舌片部を開いた状態の背面図である。
【図８】図１の傘カバーの使用状態例を示す図である。
【図９】図１の傘カバーを二つ折りして吊り下げている様子を示す図である。
【考案を実施するための形態】
【００３１】
以下本考案に係る傘カバーの１例１０について図面を参照して説明する。
傘カバー１０は、合成樹脂製の円形の芯材１１により円形に保たれた傘挿入開口部１と、傘挿入開口部１から延びる筒状の傘収容部２と、傘収容部２に連続する水受け部３とを含んでいる。
【００３２】
傘挿入開口部１は、耐水性の折りたたみ可能の帯状シート１２をシート長手方向に延びるラインに沿って二つ折りし、これを円形芯材１１に被せ、芯材の下側で縫着１３して形成されている。かかる円形芯材１１はそれとは限定されないがここではポリプロピレン製の、円形断面直径が約５ｍｍのものである。帯状シート１２は、それとは限定されないがここではポリアミド（ナイロンとして知られている合成樹脂）製のものである。
【００３３】
傘挿入開口部１は、後述するように、閉じた傘を、さらに巻き細める等しなくても、また、傘が濡れていても、簡単に素早く該開口部１から挿入できる大きさであれもよく、内径が８ｃｍ〜１６ｃｍ程度のものを例示できるが、ここでは、内径１３ｃｍ〜１４ｃｍ程度としている。
【００３４】
筒状の傘収容部２も耐水性の折りたたみ可能のシート材から形成されており、上端部２１が前記傘挿入開口部１を形成している、平面からみると円形状の帯状シート１２の下端部１２１に縫着されて前記水受け部３へ次第に細く延びている。
【００３５】
傘収容部２を形成しているシート材は、それとは限定されないが、ここではポリアミド（ナイロンとして知られている合成樹脂）製のものである。
【００３６】
水受け部３は、耐水性の非通水性の折りたたみ可能のシート材からなる水仕舞筒状部（換言すれば、水が周囲へ漏れ出ることを抑制するための筒状部、或いは水を仕舞っておくための筒状部）３１と、水仕舞筒状部３１を途中で傘挿入開口部１の方へ向けて（換言すればここでは筒状部３１の上端部の方へ）折り曲げて水受け３１０を形成した状態を維持するための水仕舞筒状部折り曲げ留め具３２とを含んでいる。
【００３７】
水仕舞筒状部３１は上下両端が開口しており、上端部３１１が前記傘収容部２の下端部２２に縫着されて、内側が傘収容部２の内側に連なっている。
【００３８】
図７も参照すればより容易に分かるように、留め具３２は、水仕舞筒状部３１と一体に形成されて筒状部３１に連続する舌片部３２１と、水仕舞筒状部３１を途中で傘挿入開口部１の方へ折り曲げて水受け３１０を形成した状態で舌片部３２１を水仕舞筒状部３１に解き離し可能に連結する連結具３２２とを含んでいる。
【００３９】
水仕舞筒状部３１及び舌片部３２１を形成しているシート材は、耐水性の非通水性の折りたたみ可能のシート材であり、それとは限定されないが、ここではＥＶＡ樹脂（エチレン−酢酸ビニル共重合体）製のものである。
【００４０】
舌片部３２１を水仕舞筒状部３１に連結する連結具３２２は、面状ファスア等でもよいが、水濡れを考慮して、ここでは金属製の、凹部を有する雌ボタン部Ｂ１と該凹部に対して嵌脱可能の凸部を有する雄ボタン部Ｂ２からなる留めボタンＢである。
【００４１】
傘挿入開口部１を形成している円形芯材１１に被せられた前記帯状シート１２には、背面側において吊下げ用ベルト４が縫着されている。図７も参照すればより容易に分かるように、ベルト４の傘挿入開口部１近傍の内側には多数のループを形成した面状雌ファスナ部Ｆ１が縫着されているとともに、ベルト４の自由端部内側には該ループに係脱可能のフックを多数設けた面状雄ファスナ部Ｆ２が縫着されており、これらファスナ部Ｆ１、Ｆ２でベルト４を環状に連結したり、その連結を解いたりするファスナＦが提供されている。
【００４２】
ベルト４は、傘挿入開口部１を上に、水受け部３を下にして吊り下げるための吊下げ用部の１例である。
【００４３】
傘カバー１０にはさらに次のものも設けられている。
図９に示すように傘収容部２を二つ折りして水受け部３を傘カバー上端部へ解離可能に連結する連結具５である。
【００４４】
連結具は、面状ファスアや紐を利用したもの等でもよいが、ここでは凹部を有する雌ボタン部ｂ１と該凹部に対して嵌脱可能の凸部を有する雄ボタン部ｂ２からなる留めボタンｂである。雌ボタン部ｂ１は傘カバー背面側において傘収容部２の上端部に取り付けられており、雄ボタン部ｂ２は前記舌片部３２１の外面側に設けられている。
【００４５】
以上説明した傘カバー１０によると、傘挿入開口部１から延びる傘収容部２が折りたたみ可能であるから全体を小さく折りたたんで邪魔にならない適当な場所、例えば、カバンやバッグの中、自動車内の扉ポケット、自動車の座席背もたれのポケット、自動車座席の横等の自動車内の場所、各種店舗等の建物の入口等の適当な場所等にコンパクトにしまっておくことができる。
【００４６】
例えば雨に濡れた傘を傘カバー１０で覆うときには、仕舞っておいた場所から傘カバー１０を取り出し、拡げて、図８に示すように濡れ傘６を傘挿入用開口部１から挿入収容でき、そのとき、傘挿入用開口部１は円形芯材１１により円形状に形が保たれて開いた状態であるから、手指が濡れていても、傘が濡れていても、また、傘を巻き細めなくても、簡単に素早くこの開いた傘挿入用開口部１から筒状傘収容部２へ、さらに水受け部３へ傘を挿入収容できる。
【００４７】
このように、濡れ傘を簡単に素早く、開いた傘挿入用開口部１から筒状傘収容部２へ挿入収容できるので、例えば雨中を傘をさして歩行し、電車やバス等の乗物に乗り込もうとするするとき、濡れ傘を傘カバー１０に収容することで覆って、乗物内で周囲に雨水をできるだけ散らかさないで、また、周囲の人の衣服や持ち物をできるだけ濡らさないですませることができる。
【００４８】
また例えば雨中を傘をさして歩行し、自動車に乗り込もうとするときも、シート等をできるだけ雨水で濡らさないように、濡れ傘を傘カバー１０に簡単に収容して覆っておくことができる。
【００４９】
例えば雨中を傘をさして歩行し、店舗等内へ入るときも、濡れ傘を傘カバー１０に収容して、周囲に雨水をできるだけ散らかさないように、また、周囲の人の衣服、持ち物、展示物品等をできるだけ濡らさないようにすることができる。
【００５０】
また、傘を挿入収容した傘カバー１０は、図８に例示するように、例えば自動車の前部座席の背もたれ部に形成された把手７のような部分に吊下げ用ベルト４を用いて吊下げ、筒状傘収容部２に連設された水受け部３で傘６からの水滴を受けて、周囲の水汚染を抑制することができる。
【００５１】
また、水受け部３に溜まった水は、水仕舞筒状部折り曲げ留め具３２における連結具３２２（留めボタンＢ）を外して舌片部３２１を開き、水仕舞い筒状部３１から水抜きすることができる。
【００５２】
傘カバー１０は使用しないときには、折りたたんで邪魔にならない適当な場所、例えば、バッグ、カバン等のいれ物の中、自動車内の扉ポケット、自動車の座席背もたれのポケット、自動車座席の横、店舗等の建物の入口等に保管しておける。図９はその例を示している。図９に示すように、例えば自動車の前部座席の背もたれ部に形成された把手７のような部分に吊下げ用ベルト４で吊り下げておくととにも、傘収容部２を二つ折りして、水受け部３を連結具ｂで傘収容部２の上端部へ連結しておいてもよい。
【産業上の利用可能性】
【００５３】
本考案は、濡れ傘でも簡単容易に素早く挿入収容することで覆うことができる、使い勝手のよい傘カバーを提供することに利用できる。
【符号の説明】
【００５４】
１０  傘カバー
１  傘挿入開口部
１１  芯材
１２  帯状シート
１２１  シート１２の下端部
１３  縫着部分
２    傘収容部
２１  傘収容部の上端部
２２  傘収容部の下端部
３  水受け部
３１  水仕舞筒状部
３１１  水仕舞筒状部の上端部
３２  水仕舞筒状部折り曲げ留め具
３２１  舌片部
３２２  連結具
Ｂ      留めボタン
Ｂ１    雌ボタン部
Ｂ２    雄ボタン部
４  吊下げ用ベルト
Ｆ  面状ファスナ
Ｆ１  面状雌ファスナ部
Ｆ２  面状雄ファスナ部
５  連結具
ｂ  留めボタン
ｂ１  雌ボタン部
ｂ２  雄ボタン部
６  傘
【図１】
0003164606.tif 000003
【図２】
0003164606.tif 000004
【図３】
0003164606.tif 000005
【図４】
0003164606.tif 000006
【図５】
0003164606.tif 000007
【図６】
0003164606.tif 000008
【図７】
0003164606.tif 000009
【図８】
0003164606.tif 000010
【図９】
0003164606.tif 000011